(57)【特許請求の範囲】
【請求項１】
ホットドリンク提供マシンのための抽出機であって、
下側に開口部を有し、熱湯又は温水と被抽出物とを受け入れて貯める上部シリンダと、
上部に開口部を有する同軸下部シリンダと、
前記同軸下部シリンダの上部の前記開口部に設けられ、前記被抽出物の通過を防止するフィルター部と、
前記同軸下部シリンダに設けられた往復ピストンと、
クランク及びピストンロッドにより前記往復ピストンと接続され、前記往復ピストンを往復運動させるロータリードライブシャフトと、
前記フィルター部から前記上部シリンダを上昇させる第１機構と、
スクレーパー部と、
前記スクレーパー部を前記フィルター部に沿って移動させ、前記被抽出物の抽出カスを除去する第２機構と、
前記ロータリードライブシャフトに設けられた第１ギアと、
前記第１ギアより小さく、前記第１ギアと噛み合い前記第１ギアの回転により回転され、前記第１ギアの歯数の半分の数の歯を有する第２ギアと、
を備え、
前記第１機構及び前記第２機構は前記ロータリードライブシャフトにより駆動され、
前記第１機構は、
第１カム表面部材及び前記第１カム表面部材と協働する第１カムフォロー部材を含む第１カム機構であって、前記第１カム表面部材及び前記第１カムフォロー部材のうちの一方は前記第１ギアの側に設けられ、他方は枢軸レバーの側に設けられ、前記枢軸レバーは、前記上部シリンダを上下動させることが可能なように前記上部シリンダに接続される第１カム機構を有し、
前記第２機構は、
第２カム表面部材及び前記第２カム表面部材と協働する第２カムフォロー部材を含む第２カム機構であって、前記第２カム表面部材及び前記第２カムフォロー部材のうちの一方は前記第２ギアの側に設けられ、他方は枢軸アームの側に設けられ、前記枢軸アームは、前記上部シリンダが上昇したときに、前記スクレーパー部を前記フィルター部に沿って移動させ、前記被抽出物の抽出カスを除去することが可能なように前記スクレーパー部に接続される第２カム機構を有する、
抽出機。
【請求項２】
前記第１ギア、前記第２ギア及び前記同軸下部シリンダを有するメインフレームと、
前記メインフレームに移動可能に支持され、前記上部シリンダを支持するガイドプレートと、
を有する請求項１に記載の抽出機。
【請求項３】
前記枢軸レバーは、
前記メインフレームに対して枢動可能に取付けられた第１端部ａと、
前記ガイドプレートに対して移動可能に取付けられた第２端部ａと、
を有し、
前記第１ギアの回転により前記ガイドプレートと前記上部シリンダの往復運動を生じさせる、
請求項２に記載の抽出機。
【請求項４】
前記第１カム表面部材は前記第１ギアの側面に設けられた溝であり、
前記第１カムフォロー部材は前記枢軸レバーの前記第１端部ａと前記第２端部ａの間に設けられた第１スタブシャフトを含む、
請求項３に記載の抽出機。
【請求項５】
前記第１スタブシャフトに取り付けられた第１抗摩擦ベアリング
を有する請求項４に記載の抽出機。
【請求項６】
前記枢軸アームは、
前記ガイドプレートに枢動可能に取り付けられた第１端部ｂと、
移動中に前記スクレーパー部を把持し、前記第２ギアが２回転する間に前記スクレーパー部を前記フィルター部を横切るように往復運動させる第２端部ｂと、
を有する請求項２〜請求項５のいずれか１項に記載の抽出機。
【請求項７】
前記第２ギアの１回目で前記枢軸アームが前記スクレーパー部を把持することなく縦方向に往復運動し、
前記第２ギアの２回転目で角度方向に往復運動し、前記枢軸アームが前記スクレーパー部を前記フィルター部上で移動させる、
請求項６に記載の抽出機。
【請求項８】
前記第２カム表面部材は前記第２ギアの側に設けられた第２スタブシャフトを含み、
前記第２カムフォロー部材は前記枢軸アームに開けられた内開口部である、
請求項７に記載の抽出機。
【請求項９】
前記第２スタブシャフトに取り付けられた第２抗摩擦ベアリング
を有する請求項８に記載の抽出機。
【請求項１０】
前記スクレーパー部は軸方向に２つの端部を有し、前記２つの端部のうちの一方は突出スタッドを有し、前記枢軸アームの前記第２端部ｂは、前記第２ギアの前記２回転目の間に前記突出スタッドと係合するように分岐した形状である、
請求項７〜請求項９のいずれか１項に記載の抽出機。
【請求項１１】
前記スクレーパー部は、移動に伴い掻き取り動作を開始する、
請求項１０に記載の抽出機。
【請求項１２】
前記スクレーパー部はスクレーパーを有し、
前記スクレーパーは前記突出スタッドを支持するスクレーパーブラケットに対して枢動可能に取り付けられ、断面が略Ｌ時型の縦軸を有し、
前記スクレーパーと前記ガイドプレートを接続し、前記上部シリンダが上昇する間に前記スクレーパーが前記縦軸に対して８分の１周させるアームを有する、
請求項１１に記載の抽出機。
【発明の詳細な説明】
【技術分野】
【０００１】
本発明はホットドリンク提供マシンのための抽出機に関し、下側に開口部を有し、熱湯又は温水と被抽出物とを受け入れて貯める上部シリンダと、上部に開口部を有する同軸下部シリンダと、前記同軸下部シリンダの上部の前記開口部に設けられ、前記被抽出物の通過を防止するフィルター部と、前記同軸下部シリンダに設けられた往復ピストンと、クランク及びピストンロッドにより前記往復ピストンと接続され、前記往復ピストンを往復運動させるロータリードライブシャフトと、前記フィルター部から前記上部シリンダを上昇させる第１機構と、スクレーパー部と、前記スクレーパー部を前記フィルター部に沿って移動させ、前記被抽出物の抽出カスを除去する第２機構と、を備え、前記第１機構及び前記第２機構は前記ロータリードライブシャフトにより駆動される。
【背景技術】
【０００２】
特許文献「EP 0473289 A1」にはホットドリンク提供マシンのための抽出機であって、与圧ピストンを備え、内部に茶葉や挽かれたコーヒーと熱湯が入れられる抽出シリンダを有し、抽出シリンダの底部がフィルタースクリーンとなっているものが開示されている。底部とシリンダ壁は、シール係合の位置と離間した位置との間で互いに対して移動可能である。ワイパーアームは、フィルタに隣接するシリンダの外部に配置されている。使用時には、底部とシリンダがシール係合している状態でシリンダの内容物に対して圧力を与え、それによりフィルターを通って液体が抽出される。次に、シリンダと底部は、ワイパーアームがフィルターを掃除するための空間を確保するために距離を開ける。そして、次の抽出サイクルに向け、残った茶葉やコーヒー粉末をフィルターから除去する。
【０００３】
特許文献「US 4,903,586」には、ドリンク提供マシンであって、上下の抽出室を有し、それら抽出室は、抽出中にストリップ状のフィルターを上下の抽出室の間で固定できるように互いに移動可能である。また、フィルターが抽出室から離れ、抽出カスを拭き取ることができるように、上下の抽出室は離反可能である。そして、次の抽出サイクルに向けて再密封された上下の抽出室にフィルターが戻されるものが開示されている。ホールドダウングリッドはフィルターの上表面と係合し、下抽出室にいるピストンが上方向に動き、フィルターを通して空気を送ることで飲物を撹拌するときに抑えておく。ピストンが上中心に到達すると、ホールドダウングリッドが解除される。ピストンが開口部を通過するときに抽出コーヒーが注がれる。ピストンがより長いストロークの上端と下端により長く留まるように、ピストンする連結ロッドと駆動クランクアームとの間は接続されていない。
【０００４】
特許文献「US 5,349,897」には、コーヒー、お茶又はその他の飲料を抽出するための装置であって、互いに相対移動する上室及び下室を有する装置が開示されている。上室及び下室が結合すると、コーヒー及び水が上室に供給され、下室の上端に設けられたフィルターを通って下室に移動する。そして、コーヒーカスがフィルターに残る。下室のピストンは空気を発生させて液体を撹拌し、フィルターを介して吸い上げ、下室に送り込む。下室からコーヒーが送り込まれ、シングルプッシュロッドが上室及び下室を分離する。そして、上下室が分離している間にワイパーブレードがフィルターからコーヒーカスを除去し、次の抽出サイクルに向けてプッシュロッドが上室及び下室を再封する。
【先行技術文献】
【特許文献】
【０００５】
【特許文献１】EP 0473289 A1
【特許文献２】US 4,903,586
【特許文献３】US 5,349,897
【発明の概要】
【発明が解決しようとする課題】
【０００６】
本発明の主たる目的は、部品数を大幅に減少させることで抽出機のデザインをシンプルにすることである。 
【課題を解決するための手段】
【０００７】
第１段落で説明した抽出機について、目的を達成するために、さらに以下の構成を有する。
前記第１ドライブシャフトに設けられた第１ギアを備え、前記第１機構は、第１カム表面部材及び前記第１カム表面部材と協働する第１カムフォロー部材を含む第１カム機構であって、前記第１カム表面部材及び前記第１カムフォロー部材のうちの一方は前記第１ギアの側に設けられ、他方は枢軸レバーの側に設けられ、前記枢軸レバーは、前記上部シリンダを上下動させることが可能なように前記上部シリンダに接続される第１カム機構を有し、記第１ギアより小さく、前記第１ギアと噛み合い前記第１ギアの回転により回転され、前記第１ギアの歯数の半分の数の歯を有する第２ギアを備え、前記第２機構は、第２カム表面部材及び前記第２カム表面部材と協働する第２カムフォロー部材を含む第２カム機構であって、前記第２カム表面部材及び前記第２カムフォロー部材のうちの一方は前記第２ギアの側に設けられ、他方は枢軸アームの側に設けられ、前記枢軸アームは、前記上部シリンダが上昇したときに、前記スクレーパー部を前記フィルター部に沿って移動させ、前記被抽出物の抽出カスを除去することが可能なように前記スクレーパー部に接続される第２カム機構を有する。
【０００８】
デザインを単純化した本発明により、抽出機の部品数を、競合他社製の抽出機の一般的な部品数である約９０個から約３０個まで減らすことができる。
【０００９】
好ましくは、抽出機はさらに、前記第１ギア、前記第２ギア及び前記同軸下部シリンダを有するメインフレームと、前記メインフレームに移動可能に支持され、前記上部シリンダを支持するガイドプレートと、を有する。 
【００１０】
好ましくは、前記枢軸レバーは、前記メインフレームに対して枢動可能に取付けられた第１端部ａと、前記ガイドプレートに対して移動可能に取付けられた第２端部ａと、を有し、前記第１ギアの回転により前記ガイドプレートと前記上部シリンダの往復運動を生じさせる。
【００１１】
好ましくは、前記第１カム表面部材は前記第１ギアの側面に設けられた溝であり、前記第１カムフォロー部材は前記枢軸レバーの前記第１端部ａと前記第２端部ａの間に設けられた第１スタブシャフトである。第１機構を構成する部品の摩擦を減らすために、第１抗摩擦ベアリングが第１スタブシャフトに取り付けられる。
【００１２】
好ましくは、前記枢軸アームは、前記ガイドプレートに枢動可能に取り付けられた第１端部ｂと、移動中に前記スクレーパー部を把持し、前記第２ギアが２回転する間に前記スクレーパー部を前記フィルター部を横切るように往復運動させる第２端部ｂと、を有する。 
【００１３】
好ましくは、前記第２ギアの１回目で前記枢軸アームが前記スクレーパー部を把持することなく縦方向に往復運動し、前記第２ギアの２回転目で角度方向に往復運動し、前記枢軸アームが前記スクレーパー部を前記フィルター部上で移動させる。そして、前記第２カム表面部材は前記第２ギアの側に設けられた第２スタブシャフトを含み、前記第２カムフォロー部材は前記枢軸アームに開けられた内開口部である。第２機構を構成する部品の摩擦を減らすために、第２抗摩擦ベアリングが第２スタブシャフトに取り付けられる。
【００１４】
好ましくは、前記スクレーパー部は軸方向に２つの端部を有し、前記２つの端部のうちの一方は突出スタッドを有し、前記枢軸アームの前記第２端部ｂは、前記第２ギアの前記２回転目の間に前記突出スタッドと係合するように分岐した形状である。 
【００１５】
好ましくは、前記スクレーパー部は、移動に伴い掻き取り動作を開始する。 
【００１６】
好ましくは、前記スクレーパー部はスクレーパーを有し、前記スクレーパーは前記突出スタッドを支持するスクレーパーブラケットに対して枢動可能に取り付けられ、断面が略Ｌ時型の縦軸を有し、前記スクレーパーと前記ガイドプレートを接続し、前記上部シリンダが上昇する間に前記スクレーパーが前記縦軸に対して８分の１周させるアームを有する。これにより、上部シリンダの上昇中を除き、スクレーパーとフィルター部は接触しない。そして、スクレーパーが元の位置に戻るときに、スクレーパーがフィルター部から上方向に枢動する。 
【００１７】
当業者であれば、特別な努力なく、上述した特徴的な機能を他のホットドリンク提供マシンのための、第１機構及び第２機構を有する抽出機に応用することができる。 
【図面の簡単な説明】
【００１８】
以下、いくつかの実施形態及び図面を参照し、本発明を詳細に説明する。図面は、以下の通りである。
【図１】本発明の抽出機の好ましい実施形態を部分的に分解した斜視図である。
【図２】図１の抽出機に含まれるメインフレームの斜視図である。
【図３】図１の抽出機に含まれるガイドプレートアセンブリを構成するガイドプレートと枢軸アームの背面から見た斜視図である。
【図４】図３のガイドプレートの背面から見た斜視図であり、ガイドプレートアセンブリに含まれる２つの歯車と枢軸レバーが追加された図である。
【図５】図１の抽出機に含まれるスクレーパー部の分解斜視図である。
【図６】ガイドプレートアセンブリがメインフレームに装着されたときの斜視図であり、スクレーパー部及び第１ギアを回転させるドライブシャフトも図示される。
【図７】フィルター部及びピストンを備え、図１の抽出機に含まれる下部シリンダの分解斜視図である。
【図８】メインフレームに取付けた下部シリンダの斜視図である。
【図９】ドライブシャフトとピストンのピストンロッドを接続するクランクの取付を示す斜視図である。
【図１０】図５のスクレーパー部の往復運動をガイドするためにガイドバーをメインフレームに取付けた状態の斜視図である。
【図１１】図１の抽出機に含まれる上部シリンダをガイドプレートに取付を示す斜視図である。
【図１２】ガイドプレートアセンブリを昇降させるためのガイドプレート及び枢軸レバーを備えた第１ギア並びに枢軸レバーを操作するためのカム溝を示す正面図である。
【図１３】図１の抽出機の背面図であり、スクレーパー部がフィルター部を掻き取るために動いているときの、上昇した上部シリンダ及び枢軸アームを示す図である。
【図１４】図１の抽出機の上部を示す正面図であり、上部シリンダが下降し、スクレーパー部がホームポジションに位置する状態を示す。
【図１５】図１４と似た図であり、上部シリンダが上昇し、スクレーパー部の枢軸スクレーパーを回転させ、こすり動作を開始させるときの図である。
【発明を実施するための形態】
【００１９】
図１は本発明に係る抽出機の好ましい実施形態を示す。抽出機の主な構成部品はメインフレームアセンブリ１、ガイドプレートアセンブリ２、上部シリンダアセンブリ３、同軸下部シリンダアセンブリ４及びスクレーパー部５である。さらに、図１はメインフレームにネジで取付けられたボトムカバー１１も示す。 
【００２０】
より正確には、図示されたホットドリンク提供マシンのための抽出機は、下側に開口部を有し、熱湯又は温水と被抽出物とを受け入れて貯める上部シリンダ３０と、上部に開口部を有する同軸下部シリンダ４０と、前記同軸下部シリンダ４０の上部の前記開口部に設けられ、前記被抽出物の通過を防止するフィルター部４３（図７を参照）と、前記同軸下部シリンダ４０に設けられた往復ピストン４１（図７を参照）と、クランク１５（図９を参照）及びピストンロッド４２（図７を参照）により前記往復ピストン４１と接続され、前記往復ピストン４１を往復運動させるロータリーロータリードライブシャフト１４（図６及び図８を参照）と、前記フィルター部４３;から前記上部シリンダ３０を上昇させる第１機構と、スクレーパー部５;と、前記スクレーパー部５;を前記フィルター部４３;に沿って移動させ、前記被抽出物の抽出カスを除去する第２機構と、を備え、前記第１機構及び前記第２機構は前記ロータリーロータリードライブシャフト１４により駆動される。
【００２１】
図７を参照すると、フィルター部４３はフレーム４３２及びフレーム４３２により固定されたフィルタ４３３により構成される。図７の実施形態では、フレーム４３２は長方形であり、丸いエッジを有する正方形の形状であってもよい。フレーム４３２の形状は長方形に限定されないことは理解されたい。例えば、丸みを帯びた形状であってもよい。 
【００２２】
本発明の第１の側面によれば、さらに、
前記第１ロータリードライブシャフト１４に設けられた第１ギア１２（図４を参照）を備え、前記第１機構は、第１カム表面部材１２１材及び前記第１カム表面部材１２１と協働する第１カムフォロー部材２２３（図１２及び図４を参照）を含む第１カム機構であって、前記第１カム表面部材１２１及び前記第１カムフォロー部材２２３のうちの一方は前記第１ギア１２の側に設けられ、他方は枢軸レバー２２（図４を参照）の側に設けられ、前記枢軸レバー２２は、前記上部シリンダを上下動させることが可能なように前記上部シリンダ３０に接続される第１カム機構を有し、前記第１ギア１２より小さく、前記第１ギア１２と噛み合い前記第１ギア１２の回転により回転され、前記第１ギア１２の歯数の半分の数の歯を有する第２ギア１３を備え、前記第２機構は、第２カム表面部材１３１（図１３を参照）及び前記第２カム表面部材１３１と協働する第２カムフォロー部材２１３（図１３及び図３を参照）を含む第２カム機構であって、前記第２カム表面部材１３１材及び第２カムフォロー部材２１３のうちの一方は前記第２ギア１３の側に設けられ、他方は枢軸アーム２１（図３を参照）の側に設けられ、前記枢軸アーム２１は、前記上部シリンダ３０が上昇したときに、前記スクレーパー部５を前フィルター部４３（図７及び図１３を参照）に沿って移動させ、前記被抽出物の抽出カスを除去することが可能なように前記スクレーパー部５に接続される第２カム機構を有する。
【００２３】
デザインを単純化した本発明により、抽出機の部品数を、競合他社製の抽出機の一般的な部品数である約９０個から約３０個まで減らすことができる。 
【００２４】
メインフレームアセンブリ１は、第１ギア１２、第２ギア１３及び同軸下部シリンダアセンブリ４を支持するメインフレーム１０（図１を参照）を含む。図２に示されるように 、メインフレーム１０は断面が略長方形の押出管状の形状であり、２つの大きな対向面に必要な開口部を設けてもよい。ガイドプレートアセンブリ２はメインフレーム１０に移動可能に支持され、上部シリンダアセンブリ３を支持する。第１ギア１２
が固定されるロータリードライブシャフト１４はメインフレーム１０に軸止される。 
【００２５】
図４及び図１３を参照すると、第２ギア１３（すなわち、小さい方のギア）は、メインフレーム１０に固定されたピン又はシャフト１３３によってメインフレーム１０内に回転可能に軸止される。
【００２６】
図３は、図１の抽出機に含まれるガイドプレートアセンブリ２を構成するガイドプレート２０と枢軸アーム２１の背面から見た斜視図である。ガイドプレート２０はメインフレーム１０の中で上下に移動可能に設けられる。枢軸アーム２１及びその機能については以下で詳細に説明する。
【００２７】
図４はガイドプレート２０の背面から見た斜視図であり、メインフレームアセンブリ１に含まれる２つの歯車とガイドプレートアセンブリ２に含まれる枢軸レバー２２が追加された図である。ガイドプレート２０の背面に取付けられた第１ギア１２、第２ギア１３及び枢軸レバー２２については以下で詳細に説明する。
【００２８】
第１機構を構成する枢軸レバー２２は、メインフレーム１０に対して枢動可能に取付けられた第１端部ａ２２２と、ガイドプレート２０に対して移動可能に取付けられ、第１ギア１２の回転によりガイドプレート２０と前記上部シリンダ３０の往復運動を生じさせる第２端部ａ２２１と、を有する。第１カム表面部材１２１は前記第１ギア１２の側面に設けられた溝１２１（図１２）であり、第１カムフォロー部材２２３は前記枢軸レバー２２の第１端部ａ２２２と第２端部ａ２２１の間に設けられた第１スタブシャフト２２３を含む（図４を参照）。第１スタブシャフト２２３と溝１２１の横側との摩擦を減らすため、第１抗摩擦ベアリング２２４が第１スタブシャフト２２３上に設けられる。図４にさらに示されるように、枢軸レバー２２の第１端部ａ２２２及び第２端部ａ２２１はそれぞれプラグ２２５及びプラグ２２６を備え、それらはガイドプレート２０に設けられた開口部２０１及び開口部２０２により案内されて延びている。望ましい往復運動を可能にするため、開口部２０１は抽出機の水平方向にわずかに細長く、開口部２０２は抽出機の垂直方向にわずかに細長くなっている。第１ギア１２を回転させると、枢軸レバー２２上の第１スタブシャフト２２３が溝１２１に追従し、枢軸レバー２２を第１端部ａ２２２の周りで枢動させることにより、ガイドプレート２０がメインフレーム１０に対して相対移動する。
【００２９】
枢軸アーム２１は、ガイドプレート２０の前面に枢動可能に取り付けられた第１端部ｂ２１１及び第２端部ｂ２１２を有する。第２端部ｂ２１２は、上部シリンダ３０が上昇するときに抽出カスを除去すべく、フィルター部４３を横切るようにスクレーパー部５を移動可能なようにスクレーパー部５を接続される。図５は図１の抽出機に含まれるスクレーパー部５ の分解斜視図である。スクレーパー部５は、スクレーパーシャフト５２によりスクレーパーブラケット５１に枢動可能に取り付けられた枢軸スクレーパー５０を含む。好ましい実施形態では、枢軸スクレーパー５０は、枢軸スクレーパー５０を枢動させるためのアーム５０２を有し断面が略Ｌ字形状の枢軸ブレードホルダー５０１と、交換可能なスクレーパーブレード５０３と、枢軸ブレードホルダー５０１にスクレーパーブレード５０３を固定するためのカバー５０４と、を含む。スクレーパーブラケット５１は、側面に設けられスクレーパー部５の掻き取り動作を案内するガイド５１１及び突出スタッド５１２（図１３）を含む。突出スタッド５１２は、スクレーパー部５がフィルター部４３を横切って移動するとき、枢軸アーム２１の第２端部ｂ２１２と係合する。図１３及び図３に示されるように、枢軸アーム２１の第２端部ｂ２１２はスクレーパー部５の突出スタッド５１２と係合するように分岐した形状とすることができる。
【００３０】
図６はガイドプレートアセンブリ２がメインフレーム１０に装着されたときの斜視図であり、スクレーパー部５及び第１ギア１２を回転させるロータリードライブシャフト１４も図示される。図８に示されるように、ロータリードライブシャフト１４は往復ピストン４１と接続するためにメインフレーム１０の前方から突出する。 
【００３１】
図７は同軸下部シリンダアセンブリ４の分解斜視図である。同軸下部シリンダアセンブリ４は、淹れたてのホットドリンクを提供するアウトレット４５を有する同軸下部シリンダ４０と、ピストンロッド４２を有する往復ピストン４１と、フィルター部４３と、同軸下部シリンダアセンブリ４をメインフレームアセンブリ１に取り付けるためのブラケット４４（図８を参照）と、を含む。ブラケット４４は矩形枠４４１を含む。矩形枠４４１は、メインフレームアセンブリ１の上部及び矩形枠４４１の内部を上側方向に延びるガイドプレートアセンブリ２の上部に取付けられる。同軸下部シリンダ４０の上部には、同軸下部シリンダ４０を矩形枠４４１の２つの長辺の一方に接続する水平な天板４４２がある。天板４４２は、同軸下部シリンダ４０の中央上方にフィルター部４３を受け入れるための開口部４４３と、スクレーパー部５によりフィルター部４から排出された被抽出物を流し出すためのオフランプ４４４と、を有する。さらに、ブラケット４４はガイド部４６（例えば、図１０に示されるロッド）を受けるための凹部を有している。ガイド部４６は、スクレーパー部５がフィルター部４３上を移動するときにスクレーパー部５を案内するためのガイド５１１と協働する。 
【００３２】
図９はロータリードライブシャフト１４に設けられ、スタブシャフト１６によりピストンロッド４２の下部に接続される、往復ピストン４１を相対移動させるためのクランク１５を示す。第１ギア１２はロータリードライブシャフト１４により駆動（回転）される。ロータリードライブシャフト１４が回転し、往復ピストン４１を下方に移動させるときに、往復ピストン４１とフィルター部４３の間が真空状態となり、これにより淹れたてのホットドリンクが上部シリンダ３０から吸引され、フィルター部４３を通って同軸下部シリンダ４０へと移動する。往復ピストン４１が下限位置に近づくと、淹れたてのホットドリンクが同軸下部シリンダ４０からアウトレット４５を介して注がれる。したがって、ロータリードライブシャフト１４ 及び第１ギア１２は、分配サイクル及び抽出サイクルの度に完全に１回転する。さらに、図９は天板４４２の前縁まで延び、フィルター部４３を横切るときに天板４４２によって案内されるスクレーパー部５を示す。
【００３３】
図１１は上部シリンダ３０と、ガイドプレート２０の上部に固定されたカンチレバー３１及びカンチレバー３２を含む上部シリンダアセンブリ３を示す。上部シリンダ３０は上下が開いており、上端は丸く、下端はフィルター部４３と係合して封止するために、フィルター部４３のフレーム４３２と重なる形状をしている。確実に封止するために、上部シリンダ３０は１組のカンチレバー３１及びカンチレバー３２に枢動可能に吊り下げられる。さらに、１杯のカップ（又は複数のカップ）のための温水及び茶葉やコーヒーカスのような固形の被抽出物が上部シリンダ３０に入れられる。しかし、どのように入れられるかは本発明の特徴とは無関係であり、図示していない。 
【００３４】
図１３は図１の抽出機の背面図であり、上昇した上部シリンダ及びフィルター部４３を掻き取るためにスクレーパー部５を移動させる枢軸アーム２１を示す図である。第２機構を構成する枢軸アーム２１は、ガイドプレート２０に枢動可能に取り付けられた第１端部ｂ２１１（図３を参照）及び第２端部ｂ２１２を有する。第２端部ｂ２１２は、第２ギア１３が２回転目の回転をするときにフィルター部４３を横切るようにスクレーパー部５が相対移動するように、スクレーパー部５の突出スタッド５１２を第２端部ｂ２１２の移動中に把持する。第２ギア１３は第１ギア１２により駆動され、第１ギア１２の歯数の半分の数の歯を有する。第２ギア１３の１回転目の回転により、スクレーパー部５を把持することなく枢軸アーム２１を垂直方向に相対移動させる。そして、第２ギア１３の２回転目の回転により、スクレーパー部５をフィルター部４３上で移動させるため、枢軸アーム２１を角度方向に往復運動させる。これは、第２カム表面部材１３１が、第２ギア１３の側に設けられ、第２ギア１３を円形に移動させる第２スタブシャフト１３１を含み、第２カムフォロー部材が枢軸アーム２１中の内開口部２１３ （図３及び図１３を参照）であることで達成される。 好ましくは、回転する第２ギア１３上の第２スタブシャフト１３１が枢軸アーム２１を動かすときの摩擦を低減するために、第２抗摩擦ベアリング１３２が第２スタブシャフト１３１に取り付けられる。 図３及び図４に示されるように、ガイドプレート２０にはロータリードライブシャフト１４を通すための第１開口部２０３と、回転する第２ギア１３上の第２スタブシャフト１３１の回転移動を可能とするための第２開口部２０４が設けられる。これにより、ガイドプレートアセンブリ２がメインフレームアセンブリ１に対して相対移動可能となる。 
【００３５】
第１ギア１２が半回転すると、ガイドプレートアセンブリ２が下限位置となり、第２ギア１３は１回転する。第２カム表面部材１３１と第２カムフォロー部材２１３が協働し、枢軸アーム２１を動かす。枢軸アーム２１は垂直方向に往復運動するが、スクレーパー部５の突出スタッド５１２には到達しない。これは、ガイドプレート２０を含むガイドプレートアセンブリ２が下限位置にあるためである。第１ギア１２がさらに半回転すると、第１カム表面部材１２１と第１カムフォロー部材２２３が協働し、枢軸レバー２２を第１端部ａ２２２に対して枢動させる。枢軸レバー２２の第２端部ａ２２１がガイドプレート２０に作用するとき、ガイドプレートアセンブリ２及び上部シリンダアセンブリ３は上昇し、上限位置となる。
第２ギア１３が２回転すると、枢軸アーム２１が垂直方向に往復運動し、スクレーパー部５の突出スタッド５１２と係合する。そして、スクレーパー部５はホームポジションからそれと反対のエンドポジションまでフィルター部４３を掻き取りながら移動し、その後ホームポジションに戻る。図１４は図１の抽出機の上部を示す正面図であり、上部シリンダ３０が下降し、スクレーパー部５がホームポジションに位置する状態を示す。水平方向に延びるアーム５０２の自由端と、ガイドプレート２０の上側に設けられた水平ガイド溝２０５が係合する（図１５を参照）。ガイドプレートアセンブリ２が上部シリンダ３０とともに図１５に示される上限位置まで上昇する間に、ガイドプレート２０の水平ガイド溝２０５がアーム５０２の自由端に作用し、アーム５０２が枢軸スクレーパー５０を１／８周させる。これにより、スクレーパーブレード５０３はフィルター部４３と実質的に垂直に係合する。ガイドプレートアセンブリ２ が上限位置にあるとき、枢軸アーム２１の第２端部ｂ２１２がスクレーパー部５の突出スタッド５１２と係合し（図１３を参照）、スクレーパー部５をフィルター部４３上で移動させ、フィルター部４３の表面から抽出カスを除去する。 
【００３６】
本発明の好ましい実施形態について詳細に説明したが、以下の請求項の範囲内において種々の変更、置換、及び付加がなされてもよいことは理解されたい。以上より、本発明により目的が達成された。
【産業上の利用可能性】
【００３７】
本発明の抽出機は、コーヒーやお茶等の淹れたてのホットドリンクを提供する装置に適用できる。かかる装置は、例えば、職場の職員向けに設置されるものである。 
【図１】
0005922847.tif 000002
【図２】
0005922847.tif 000003
【図３】
0005922847.tif 000004
【図４】
0005922847.tif 000005
【図５】
0005922847.tif 000006
【図６】
0005922847.tif 000007
【図７】
0005922847.tif 000008
【図８】
0005922847.tif 000009
【図９】
0005922847.tif 000010
【図１０】
0005922847.tif 000011
【図１１】
0005922847.tif 000012
【図１２】
0005922847.tif 000013
【図１３】
0005922847.tif 000014
【図１４】
0005922847.tif 000015
【図１５】
0005922847.tif 000016